(57)【特許請求の範囲】
【請求項１】
折り機に用いられるクロス折りモジュールであって、固定フレームが設けられており、該固定フレーム内に、
−枚葉紙支持装置（１２）が設けられており、該枚葉紙支持装置（１２）に、走入した１つの枚葉紙が、搬送平面で載置するようになっており、
−枚葉紙支持装置（１２）の上方に配置された、走入した１つの枚葉紙を押さえるための押さえ装置（１８）が設けられており、
−端ストッパ装置（２４）が設けられており、該端ストッパ装置（２４）に、走入した１つの枚葉紙が、その前方の縁部で接触するようになっており、
−枚葉紙支持装置（１２）の上方に配置された折りナイフ装置（２６）が設けられており、
−枚葉紙支持装置（１２）の下方で折りナイフ装置（２６）と反対の側に配置された折りローラ対（２８）が配置されている形式のものにおいて、
枚葉紙支持装置（１２）と、押さえ装置（１８）と、端ストッパ装置（２４）と、折りナイフ装置（２６）とが、可動フレームに取り付けられており、該可動フレームが、固定フレームに旋回軸線（３０）を中心として上方に旋回可能に支承されていることを特徴とする、折り機に用いられるクロス折りモジュール。
【請求項２】
枚葉紙支持装置が、間隔を置いて互いに平行に配置されたエンドレスな複数の搬送ベルト（１２）によって形成されるようになっており、該搬送ベルト（１２）が、入口側のベルトローラ（１４）と、入口と反対の側のベルトローラ（１６）とを循環するようになっており、両ベルトローラ（１４，１６）が、走入方向（Ｂ）に対して横方向に配置されており、旋回軸線（３０）が、入口側のベルトローラ（１４）のローラ軸線を通って延びている、請求項１記載のクロス折りモジュール。
【発明の詳細な説明】
【技術分野】
【０００１】
本発明は、折り機に用いられるクロス折りモジュール（回し折りモジュールもしくは直角折りモジュール）であって、固定フレームが設けられており、該固定フレーム内に、
−枚葉紙支持装置が設けられており、該枚葉紙支持装置に、走入した１つの枚葉紙が、搬送平面で載置するようになっており、
−枚葉紙支持装置の上方に配置された、走入した１つの枚葉紙を押さえるための押さえ装置が設けられており、
−端ストッパ装置が設けられており、該端ストッパ装置に、走入した１つの枚葉紙が、その前方の縁部で接触するようになっており、
−枚葉紙支持装置の上方に配置された折りナイフ装置が設けられており、
−枚葉紙支持装置の下方で折りナイフ装置と反対の側に配置された折りローラ対が配置されている形式のものに関する。
【背景技術】
【０００２】
ドイツ連邦共和国特許出願公開第１０１１９４１５号明細書に基づき公知のこのようなクロス折りモジュールは、枚葉紙入口に続いて枚葉紙支持装置を有している。この枚葉紙支持装置は、間隔を置いて互いに平行に配置された複数の搬送ベルトによって形成される。これらの搬送ベルトは、入口側の共通の駆動されるベルトローラと、入口と反対の側のベルトローラとを循環する。搬送ベルトの上側の区分は搬送平面を形成している。この搬送平面の上方に配置された折りナイフは、端ストッパに接触した枚葉紙を２つの折りローラの間に突き込むために働く。両折りローラは枚葉紙支持装置の下方に配置されている。枚葉紙は、走入時に端ストッパに対して押さえ装置によって押さえられる。この押さえ装置は、２つのローラを循環する押さえベルトによって形成される。
【０００３】
クロス折りモジュールの上述した全ての構成エレメントはクロス折りモジュールの固定フレームに取り付けられているかまたは支承されている。クロス折りモジュールに設けられた折りローラまたは後置されたカッタローラの交換または修理が必要となる場合には、枚葉紙支持装置と、押さえ装置と、端ストッパとが折りローラへの接近を妨害し、これによって、枚葉紙支持装置、押さえ装置および端ストッパの取外しが必要となる。したがって、折りローラに対する交換または保守・修理作業に極めて時間がかかってしまう。
【特許文献１】ドイツ連邦共和国特許出願公開第１０１１９４１５号明細書
【発明の開示】
【発明が解決しようとする課題】
【０００４】
本発明の課題は、折りローラの交換または折りローラに対する保守・修理作業を迅速に実施することを可能にするクロス折りモジュールを構造上簡単な手段によって提供することである。
【課題を解決するための手段】
【０００５】
この課題を解決するために本発明の構成では、枚葉紙支持装置と、押さえ装置と、端ストッパ装置と、折りナイフ装置とが、可動フレームに取り付けられており、該可動フレームが、固定フレームに旋回軸線を中心として上方に旋回可能に支承されているようにした。
【発明の効果】
【０００６】
本発明によるクロス折りモジュールの構造上の構成によって、可動フレームに取り付けられた枚葉紙支持装置、押さえ装置、端ストッパ装置および折りナイフ装置を同時に上方に旋回させることが可能となり、これによって、折りローラおよび場合によっては後置されたカッタローラが上方から手間なしに接近可能となり、これによって、折りローラの交換ならびに折りローラに対する保守・修理作業を迅速にかつ簡単に実施することができる。
【０００７】
枚葉紙支持装置が、間隔を置いて互いに平行に配置されたエンドレスな複数の搬送ベルトによって形成されるようになっており、該搬送ベルトが、入口側のベルトローラと、入口と反対の側のベルトローラとを循環するようになっており、両ベルトローラが、走入方向に対して横方向に配置されており、旋回軸線が、入口側のベルトローラのローラ軸線を通って延びていると有利である。これによって、可動フレームを入口側のベルトローラを中心として旋回させることが可能となる。したがって、旋回の間の両ベルトローラと搬送ベルトとの対応配置を維持することができる。
【発明を実施するための最良の形態】
【０００８】
以下に、本発明を実施するための最良の形態を図面につき詳しく説明する。
【０００９】
クロス折りモジュール１０は、ドイツ連邦共和国特許出願公開第１０１１９４１５号明細書に基づき公知のクロス折りモジュールと同様に、側方の間隔を置いて互いに平行に配置された複数の搬送ベルト１２を有している。これらの搬送ベルト１２は、枚葉紙入口側の駆動されるベルトローラ１４と、入口と反対の側のベルトローラ１６とを循環する。相並んで配置された搬送ベルト１２の上側の区分１３は搬送平面ＴＥに位置している。この搬送平面ＴＥの上方には押さえ装置１８が配置されている。この押さえ装置１８によって、枚葉紙走入方向Ｂで走入した枚葉紙が、この枚葉紙走入方向Ｂに調節可能な端ストッパ２４に当接するまで押さえられる。押さえ装置１８は、側方の間隔を置いて互いに平行に配置された、枚葉紙走入方向Ｂに延びる少なくとも２つの押さえ条片２０によって形成される。これらの押さえ条片２０の下側にはブラシ２２が配置されている。このブラシ２２は、走入した枚葉紙を押さえ、この走入した枚葉紙の側方のずれも阻止する。クロス折りモジュール１０の中間で搬送平面ＴＥの上方に、枚葉紙走入方向Ｂに延びる折りナイフ２６が配置されている。この折りナイフ２６によって、１つの枚葉紙が搬送平面ＴＥを通して、枚葉紙を折る折りローラ対２８の間に突き込まれる。この折りローラ対２８に続いて、カッタローラ対（図示せず）が配置されていてよい。
【００１０】
ベルトローラ１４，１６と、押さえ条片２０と、端ストッパ２４と、折りナイフ２６とは可動フレーム（図示せず）に取り付けられている。この可動フレームはその入口側の端部で固定フレーム（図示せず）に旋回可能に支承されている。可動フレームは、ベルトローラ１４，１６、搬送ベルト１２、押さえ装置１８、端ストッパ２４および折りナイフ２６と一緒に、入口側のベルトローラ１４のローラ軸線を通って延びる旋回軸線３０を中心として上方に、破線で示した位置に旋回可能である。折りローラ２８はクロス折りモジュール１０の固定フレームに支承されていて、可動フレームと一緒に旋回させられない。上方旋回後、折りローラ２８が上方から容易に接近可能となり、これによって、折りローラ２８の交換または折りローラ２８に対する保守・修理作業を僅かな手間で実施することができる。
【図面の簡単な説明】
【００１１】
【図１】本発明によるクロス折りモジュールの主エレメントの概略図である。
【符号の説明】
【００１２】
１０  クロス折りモジュール、  １２  搬送ベルト、  １３  区分、  １４，１６  ベルトローラ、  １８  押さえ装置、  ２０  押さえ条片、  ２２  ブラシ、  ２４  端ストッパ、  ２６  折りナイフ、  ２８  折りローラ対、  ３０  旋回軸線、  Ｂ  枚葉紙走入方向、  ＴＥ  搬送平面
【図１】
0004662800.tif 000002